(57)【特許請求の範囲】
【請求項１】
筒体の内部に突出し外方へ揺動及び復帰自在の逆止爪（１ａ）を形成する操作ノブ（１）の成形用金型であり、操作ノブ（１）に操作レバー（３）の嵌合中空部（１ｃ）を形成するとともに上部に上方傾斜面（２ａ）及び下方傾斜面（２ｂ）からなる細径部（２ｃ）を形成したコアーピン（２）と、操作ノブ（１）の上部の外周部を形成するコアー部（５ａ）を有する上型（５）及び操作ノブ（１）の下部の外周部を形成するコアー部（６ａ）を有する下型（６）と、該上型（５）及び下型（６）との間にあって前記コアーピン（２）に向けて進出及び復帰自在であり、前記コアーピン（２）の上方傾斜面（２ａ）への当接部（４ａ）及びその下部に形成され前記逆止爪(１ａ）の基部に肉薄部（１ｂ）を形成する段部（４ｂ）を有する中間スライドコア（４）と、コアーピン（２）が下型（６）のコアー部（６ａ）にセットされ、前記上型（５）のコアー部（５ａ）、中間スライドコア(４)及び下型（６）のコアー部（６ａ）で構成された内部空間への樹脂注入口と、からなることを特徴とする操作ノブの成形用金型。
【請求項２】
分離及び復帰させられる前記上型（５）あるいは前記下型（６）に前記中間スライドコア（４）に向けて所定の角度で設けられた制御棒（８）と、前記中間スライドコア（４）に前記制御棒（８）を受け入れる同角度のガイド孔（９）を設け、前記上型（５）と下型（６）の分離及び復帰に連動させて前記中間スライドコア（４）の復帰及び進出を行なうことを特徴とする請求項１に記載の操作ノブの成形用金型。
【請求項３】
前記上型（５）及び下型（６）との間の前記中間スライドコア（４）を前記コアーピン（２）に向けて複数設けたことを特徴とする請求項１又は２に記載の操作ノブの成形用金型。
【発明の詳細な説明】
【技術分野】
【０００１】
本発明は、各種の操作レバーの頭部にワンタッチで固定可能な操作ノブの成形用金型に関する。
【背景技術】
【０００２】
従来から、自動車のサイドブレーキレバー、シフトレバー、ボンネットオープンサポートノブとその他の各種の操作レバーの頭部には、操作性及び感触を良好にするため樹脂製の把持部（以下「操作ノブ」と言う。）が装着されている。
【０００３】
出願人は、すでに、周溝１ａ及び回転止め突起１ｇを設けたレバー軸１と、該周溝１ａに係止する第２係止爪２ｅ、シフトノブ３に設けた係止孔３ｃに係止する第１係止爪２ｄ及び前記回転止め突起１ｇに係止する回転止め溝２ｆを一体形成した保持体２と、前記第１係止爪２ｄに係合する係合孔３ｃを形成したシフトノブ３とでなることを特徴とする操作ノブの取付構造を提供している（特許文献１参照）。
【先行技術文献】
【特許文献】
【０００４】
【特許文献１】特開平６−２８０９７４号公報
【発明の概要】
【発明が解決しようとする課題】
【０００５】
前記操作ノブの取付構造では、操作ノブが保持体２、第２係止爪２ｅ及びシフトノブ３の三個の部品で形成され、製造には三個の部品にそれぞれ複数の金型を準備する必要があり、コストアップをまぬがれないという問題があった。さらに、製造及び操作レバーへの取り付けにも手数を要するという問題があった。
【０００６】
本発明は、前記の問題点に鑑みてなされたもので、一体成形が可能であり、コストダウンを図り、製造及び取り付けの容易な操作ノブの成形用金型を提供することを目的とする。
【課題を解決するための手段】
【０００７】
前記目的達成のために、本発明にかかる操作ノブの成形用金型は、筒体の内部に突出し外方へ揺動及び復帰自在の逆止爪１ａを形成する操作ノブ１の成形用金型であり、操作ノブ１に操作レバー３の嵌合中空部１ｃを形成するとともに上部に上方傾斜面２ａ及び下方傾斜面２ｂからなる細径部２ｃを形成したコアーピン２と、操作ノブ１の上部の外周部を形成するコアー部５ａを有する上型５及び操作ノブ１の下部の外周部を形成するコアー部６ｂを有する下型６と、該上型５及び下型６との間にあって前記コアーピン２に向けて進出及び復帰自在であり、前記コアーピン２の上方傾斜面２ａへの当接部４ａ及びその下部に形成され前記逆止爪１ａの基部に肉薄部１ｂを形成する段部４ｂを有する中間スライドコア４と、コアーピン２が下型６のコアー部６ａにセットされ、前記上型５のコアー部５ａ、中間スライドコア４及び下型６のコアー部６ａで構成された内部空間への樹脂注入口と、からなることを特徴とする（請求項１）。
【０００８】
前記構成によれば、下型６のコアー部６ａにコアーピン２をセットし、該コアーピン２、上型５、下型６及び中間スライドコア４を組み合わせた状態において、内部空間に樹脂を注入し、樹脂の硬化後の前記上型５と下型６を分離し、中間スライドコア４を復帰させ、さらに、前記コアーピン２から樹脂を分離すると、図６に示す操作ノブ１を成形することができる。同図において、１ａ，１ａは逆止爪、１ｂ，１ｂは肉薄部、１ｃは操作レバーの嵌合部である。
【０００９】
なお、同図中、２は前記操作レバーの嵌合中空部１ｃを形成するコアーピンであり、その上部に、上方傾斜面２ａ及び下方傾斜面２ｂからなる細径部２ｃが形成されている。
【００１０】
前記構成の操作ノブ１の嵌合中空部１ｃに、図７に示すように、予め、所定位置に細径の係止部３ａ，３ａを形成した操作レバー３を嵌合すると、該操作レバー３の先端部によって、前記逆止爪１ａ，１ａが外方へ揺動させられて開かれる。
【００１１】
さらに前記操作ノブ１を操作レバー３側に押し込むと、前記逆止爪１ａ，１ａがそれぞれ内側に復帰させられて先端部が前記操作レバー３の係止部３ａ，３ａ内部に復帰してその上部に係止させられる。この結果、前記操作ノブ１が前記操作レバー３に完全固定されてその後の抜脱が不可能となる。
【００１２】
本発明の実施の一形態は、分離及び復帰させられる前記上型５あるいは前記下型６に前記中間スライドコア４に向けて所定の角度で設けられた制御棒８と、前記中間スライドコア４に前記制御棒８を受け入れる同角度のガイド孔９を設けたことを特徴とする（請求項２）。
【００１３】
この実施の一形態によれば、前記上型５と下型６の分離及び復帰に連動させて前記中間スライドコア４の復帰及び進出を同調させることが容易である。
【００１４】
本発明の実施の一形態は、前記上型５及び下型６との間の中間スライドコア４を前記コアーピン２に向けて複数設けたことを特徴とする（請求項３）。
【００１５】
この実施の一形態によれば、図６に示すように、前記操作ノブ１に複数の逆止爪１ａ，１ａが形成される。もっとも、前記操作ノブ１に形成する逆止爪１ａを一つとすることも可能であるが、前記操作ノブ１に逆止爪１ａ，１ａを複数形成することにより、前記操作レバー３に対する前記操作ノブ１の固定が強固になる。また、前記中間スライドコア４を放射状に四つ設けると、前記操作ノブ１に逆止爪１ａを放射状に四つ形成することができる。
【発明の効果】
【００１６】
本発明の操作ノブの成形用金型によれば、操作ノブを一体成形することが可能であり、コストダウンを図り、製造及び取り付けの容易な操作ノブを提供することができる。
【００１７】
以上、本発明について簡潔に説明した。更に、以下に本発明を実施するための最良の形態を添付の図面を参照して、詳細に説明する。
【図面の簡単な説明】
【００１８】
【図１】本発明の成形用金型により操作ノブの成形状態を示す要部断面図である。
【図２】成形完了後上型と下型の分離及び中間スライドコアの復帰状態を示す要部断面図である。
【図３】エジェクターピンによりコアーピンから操作ノブを取り外す過程を示す途中を示す要部断面図である。
【図４】エジェクターピンによりコアーピンから操作ノブを取り外す過程を示す要部断面図である。
【図５】エジェクターピンによりコアーピンから操作ノブが取り外される寸前の要部断面図である。
【図６】操作ノブとコアーピンの関係を示す一部断面図である。
【図７】操作ノブに操作レバーを嵌合した状態を示す断面図である。
【発明を実施するための形態】
【００１９】
図１乃至図６において、２は前記のコアーピン、４は前記の中間スライドコアである。また、５はコアー部５ａを有する上型及び６はコアー部６ａを有する下型である。該上型５のコアー部５ａ及び下型６のコアー部６ａは成形する操作ノブ１の上部及び下部の外周部を形成するように予め加工されている。
【００２０】
前記コアーピン２は前記下型６のコアー部６ａにセットされ、その上部に上方傾斜面２ａ及び下方傾斜面２ｂからなる細径部２ｃが形成されている。
【００２１】
前記上型５と下型６の間には前記コアーピン２に向けて進出及び復帰自在の中間スライドコア４が対向させて設けられる。該中間スライドコア４はそれぞれ前記下型６に形成されたガイドレール７に沿って前記コアーピン２に向けて進出及び復帰自在とされている。
【００２２】
さらに、前記中間スライドコア４は、前記コアーピン２の細径部２ｃの上方傾斜面２ａへの当接部４ａ及びその下部に形成され前記逆止爪１ａ，１ａの基部に肉薄部１ｂ，１ｂを形成するための段部４ｂを有する（図２〜図５参照）。すなわち、前記中間スライドコア４の当接部４ａはその下部に形成した前記段部４ｂよりも突出させられた状態となっている。
【００２３】
さらに、図面では、前記中間スライドコア４は、前記上型５と下型６の分離及び復帰に連動させて復帰及び進出を行なうように構成されている。すなわち、前記上型５から前記中間スライドコア４に向けて所定の角度で外側に向けて設けた制御棒８，８の先端部を前記中間スライドコア４に設けた同角度のガイド孔９，９に嵌挿している。
【００２４】
前記構成では、前記上型５を前記下型６から分離して上昇させると、前記中間スライドコア４は前記制御棒８，８によってそれぞれ外側にスライドさせられて前記コアーピン２及び成形された操作ノブ１から離される。
【００２５】
また、その後に前記上型５を復帰及び下降させると、前記制御棒８，８の先端部が前記中間スライドコア４のガイド孔９，９に適合して該中間スライドコア４が前記コアーピン２に向けて内側に進出及びセットされる。したがって、次の成形を行なうことができる。なお、前記制御棒８，８及びガイド孔９，９の設置方向は前記に限らず任意である。また、前記上型（５）と下型（６）の分離及び復帰に合わせて中間スライドコア４の復帰及び進出を他の手段で行なうことも可能である。  
【００２６】
図中、１０は成形された操作ノブ１を前記コアーピン２から取り外す上下動自在のエジェクターピンであり、図示されていないが複数設けられている。
【００２７】
前記構成の金型による操作ノブ１の成形は以下の通りである。まず、コアーピン２が下型６のコアー部６ａにセットされ、上型５、下型６及び中間スライドコア４を進出位置とした状態において、上型５のコアー部５ａ，中間スライドコア４、下型６のコアー部６ａで構成された内部空間に樹脂の注入が行なわれる。例えば、前記上型５に設けられた図示しない樹脂注入口から樹脂が注入される。
【００２８】
つぎに、注入された樹脂の硬化を確認して前記上型５と下型６の分離及び中間スライドコア４の復帰が行われる（図２参照）。図面実施例では、前記上型５を上昇させて前記下型６との分離が行われ、該上型５の上昇に連動して前記中間スライドコア４が進出位置から復帰させられる。
【００２９】
前記中間スライドコア４の復帰の伴い、操作ノブ１に前記逆止爪１ａ，１ａが形成される。すなわち、該中間スライドコア４に形成された前記コアーピン２の上方傾斜面２ａへの当接部４ａ及びその下部に形成された段部４ｂによって、基部に肉薄部１ｂを形成した前記逆止爪１ａ，１ａが形成される。
【００３０】
その後は、エジェクターピン１０の上昇により、成形された操作ノブ１がコアーピン２から取り外される。本発明では、コアーピン２に細径部２ｃが形成されているが、該細径部２ｃが上方傾斜面２ａと下方傾斜面２ｂとで形成されているため前記逆止爪１ａ，１ａがコアーピン２に引っ掛かったりすることがなく、前記エジェクターピン１０によってコアーピン２から操作ノブ１の取り外しがスムーズに行われる。
【符号の説明】
【００３１】
１  操作ノブ
１ａ，１ａ  逆止爪
１ｂ，１ｂ  肉薄部
１ｃ  嵌合中空部
２  コアーピン
２ａ  上方傾斜面
２ｂ  下方傾斜面
２ｃ  細径部
３  操作レバー
４  中間スライドコア
４ａ  当接部
４ｂ  段部
５  上型
６  下型
【図１】
0005887596.tif 000002
【図２】
0005887596.tif 000003
【図３】
0005887596.tif 000004
【図４】
0005887596.tif 000005
【図５】
0005887596.tif 000006
【図６】
0005887596.tif 000007
【図７】
0005887596.tif 000008